(57)【要約】【目的】電池用の正極とセパレ−タ−と負極からなる重合体を能率良く巻き取り形成するための巻き取り機用巻芯を提供する。【構成】角形電池用重合体を成形するための巻き取り機用巻芯において、一端に巻き取り機に装着するための取り付け部を有し他端に支持部材用孔を有しその中央部には重合体を巻き取る巻芯本体と前記支持部材用孔に装着する支持部材よりなる巻き取り機用巻芯を形成し、巻芯本体の中心部と挿入部材には長手方向に二分割して前記重合体装着用の隙間Ｃ及びＤを形成し、さらに前記二分割した巻芯本体Ａ及びＢの断面形状は中心部の平坦部ａ及びｂよりそれぞれ対照的な菱形状等の所要の形状に成形し、巻芯本体の中心に設けた孔に挿入部材を装着し、重合体を前記隙間Ｃより挿入部材の隙間Ｄ内に挿入し、支持部材の先端孔と挿入部材の先端部との嵌合により隙間Ｄを縮小させ、前記重合体を素早く挟持するようにしたものである。【選択図】        図１
2006290615.tif 000002
【特許請求の範囲】
【請求項１】
電池用の正極とセパレ−タ−と負極からなる重合体を成形するための巻き取り機用巻芯において、前記巻芯は一端に巻き取り機に装着するための取り付け部を有し他端には他端側を支持する支持部材と嵌合するための孔を有しその中央部には重合体を巻き取るための巻芯本体を有する巻芯を形成し、前記巻芯本体の中心部には長手方向に二分割して前記重合体装着用の所要幅の隙間Ｃを設けるとともに前記隙間Ｃは取り付け部側に向かって行き止まり状に形成し、かつ前記二分割した巻芯本体Ａ及びＢを組み合わせた断面形状は中心部の平坦部ａ及びｂよりそれぞれ対照的な凸曲面又は菱形又は半円状又は紡錘形状の巻芯本体を形成し、前記巻芯本体の中心には前記支持部材嵌合用孔に続いて前記孔より若干小径の孔を形成するとともに取り付け部側にて行き止まり状の孔を形成し、前記行き止まり状の孔内に装着され前記隙間Ｃに近似する間隔の隙間Ｄを形成して前記隙間Ｄに装着された重合体を挟持するための挿入部材を装着し、支持部材を停止した状態または前進または後進させて前記支持部材の先端部分を支持部材嵌合用の孔に挿入するとともに前記支持部材の先端に設けた孔に前記挿入部材の他端側先端部分を挿入した際に前記隙間Ｄの間隔を縮小させることにより前記隙間Ｄ内に装着された重合体の両面を隙間Ｄの両内面により押圧挟持するように構成したことを特徴とする巻き取り機用巻芯。
【請求項２】
前記巻芯本体の中心に設けた小径孔内に装着する挿入部材はその一端を孔の最奥に装着して挿入部材を位置決めする軸部と前記軸部の支持部材側より支持部材側に向かって二分割した隙間Ｄを設けるとともに前記隙間Ｄの内面は支持部材側に向かって僅かに広がるテ−パ−状に形成するとともに両部材にバネ性を付与し、前記挿入部材の他端側先端部分を支持部材の先端孔内に挿入した際に前記隙間Ｄの内面間隔を縮小させることにより前記隙間Ｄ内に装着された重合体の両面を挟着保持する挟み機構を形成したことを特徴とする請求項１に記載の巻き取り機用巻芯。
【請求項３】
前記支持部材の前部に設けた孔の前端部にＲ部又は孔の内面に前部から内方に向けて狭まるテ−パ状孔を設けたことを特徴とする請求項１及び２に記載の巻き取り機用巻芯。
【請求項４】
前記挿入部材の前端部の形状を先端部分が狭まる曲面又は前端部分をテ−パ状に形成したことを特徴とする請求項１及び２に記載の巻き取り機用巻芯。
【請求項５】
前記巻芯本体の中心に設けた孔内に装着する挿入部材はその一端を孔の最奥に装着して挿入部材を位置決めする軸部と前記軸部の支持部材側より支持部材側に向かって二分割した隙間Ｄを設けるとともに前記隙間Ｄの内面は支持部材側に向かって僅かに広がるテ−パ−状に形成するとともに両部材にバネ性を付与し、前記隙間Ｄの内面の両側に突起を設け、前記挿入部材の先端部分を支持部材の先端孔内に嵌合した際に前記隙間Ｄの内面間隔が狭まることにより前記隙間Ｄの内面の両側の突起と突起が接近して前記隙間Ｄ内に装着された重合体の両面を挟着保持する挟み機構を形成したこと特徴とする請求項１及び２に記載の巻き取り機用巻芯。
【請求項６】
前記巻芯本体の中心に設けた孔内に装着する挿入部材はその一端を孔の最奥に装着して挿入部材を位置決めする軸部と前記軸部の支持部材側より支持部材側に向かって二分割した隙間Ｄを設けるとともに前記隙間Ｄの内面は支持部材側に向かって僅かに広がるテ−パ−状に形成するとともに両部材にバネ性を付与し、前記隙間Ｄの内面のいづれか片側に突起を設け相対する側の内面には凹溝を設け、前記挿入部材の先端部分を支持部材の先端孔内に嵌合した際に前記隙間Ｄの内面間隔が狭まることにより前記突起と凹溝が接近し前記隙間Ｄ内に装着された重合体の両面を挟着保持する挟み機構を形成したことを特徴とする請求項１及び２に記載の巻き取り機用巻芯。
【請求項７】
前記挿入部材に設けた隙間Ｄの両内面にはザラザラした面又はやすり状面又は細かい突起等の滑り止め用の細かい凹凸を全面に設けたことを特徴とする請求項１乃至４に記載の巻き取り機用巻芯。
【発明の詳細な説明】
【技術分野】
【０００１】  本発明は、角形または丸形等の電池に装着する正極とセパレ−タ−と負極からなる重合体を巻き取り成形するための巻き取り機用巻芯１に関し、前記巻芯１はその一端に前記巻芯１を保持するための取り付け部２を有し他端には他端側を支持する支持部材３と嵌合するための孔４を有しその中央部には重合体を巻き取るための巻芯本体５を有する巻芯１を形成し、前記巻芯本体５はその中心部にて長手方向に二分割されて前記重合体装着用の所要幅の隙間Ｃを形成し、前記隙間Ｃは取り付け部２側に向かって行き止まり状に形成している。また前記二分割された巻芯本体５Ａ及び５Ｂの組み合わせた断面形状は中心部の平坦部５ａ及び５ｂよりそれぞれ対象的な凸曲面又は菱形又は半円状又は紡錘形状の巻芯本体５を形成している。前記巻芯本体５の中心線上の他端側には前記支持部材３と嵌合する孔４を設け、前記孔４に続いて前記孔４より若干小径の孔６を形成するとともに前記取り付け部２側にて行き止まり状の孔６を設け、前記行き止まり状の孔６内には挿入部材７を装着する。前記挿入部材７には前記隙間Ｃに近似する間隔の隙間Ｄを有しその一端に軸部８を設けて前記孔６の最奥に装着して挿入部材７を位置決めしている。前記隙間Ｃを通って隙間Ｄに挿入された重合体は隙間Ｄの両内面により挟持して固定するために、前記挿入部材７の他端側前端７ａは前記支持部打３の前部３ａに設けた孔９内に挿入嵌合されて先端が若干開き気味に設けている挿入部材７の隙間Ｄの隙間幅が孔９の内面に規制されて狭まるようにしてあり、また挿入された重合体の厚さに応じてその幅に対応させるために前記支持部材３の前部孔９の前端部にＲ部又は内面の前部から内方に向けて狭まるテ−パ状孔９を設けるか或いは挿入部材７の前端７ａの外径側形状を先端部分が狭まる様な曲面又はテ−パ状に形成して前記重合体の厚さが変更されていても確実に重合体を挟持することが出来るように形成しているものである。
したがって巻芯本体５にて重合体の先端位置を巻芯本体５に巻き付ける際に重合体の先端位置を極めて容易に固定出来るので巻き付け時の作業能率が大幅に向上することと巻き付け時に発生するスベリが無く重合体自体の先端部分の材料損失が解消され、またタブ位置も確実に固定される等優れた利点を有する巻き取り機用巻芯１に関するものである。
【背景技術】
【０００２】  角形電池の用途は携帯電話が主であるが、携帯電話は技術の進歩が激しく各製造メ−カは新製品開発に凌ぎを削っており、また色々の機能を付加させる設計を行うことから携帯電話に装着するための電池の入るスペ−スは一番最後に決定される。そのため電池の大きさは各社まちまちであり、また発売日が決まっておりながら電池のサイズは最後に決定されるため電池の発注が遅れ携帯電話用の角形電池の製造が大特急となる場合が多い。このため角形電池の製造にしわ寄せが来るため携帯電話用の角形電池の製造機械を増やしたり製作期間を可能な限り短縮したりして製造しているが、受注個数の増減及び電池自体の仕様変更等もあり製造機械を製造期間短縮のために増やすことはコスト的にも問題が多い事から携帯電話の製造メ−カ−の要求に応じられないのが現状である。
従来の角形電池に装着する重合体を巻き取り成形するための巻き取り機用巻芯１は例えば第１１図から第１３図に示す説明図のように一端に巻芯１を保持するための取り付け部２を有し他端にはセンタ−にて支持されるセンタ−孔３を有しその中間部には巻芯１全体を二分割した重合体装着用の隙間Ｃを中心部に設けた巻芯本体５が形成され、更に隙間Ｃの端部にはスプリング効果を高めるため円形状盗み部１７が設けられまた前記巻芯１は全体を一体的に形成している製品が用いられている。前記巻芯本体５に重合体を装着する作業は、前記隙間Ｃに重合体を挿入して巻芯本体５に巻き付ける作業の際に重合体が移動しないように（またはスベラないように）重ねて巻き付ける作業が必要であり、従って重合体の装着作業において大幅に生産効率が低下するばかりでなくタブ位置が変化してロット不良を生ずる場合がある等の欠点を有するものである。
【発明の開示】
【発明が解決しようとする課題】
【０００３】  本発明は上述した従来の欠点を改善し、角形電池用の重合体の製造が極めて容易でかつ巻芯１自体の製造が容易な巻き取り機用巻芯１を形成し、角形電池用重合体の製造能率及び製造コストの低下が得られ生産効率の大幅向上が図れる巻き取り機用巻芯１を提供するものである。
【課題を解決するための手段】
【０００４】  本発明の巻き取り機用巻芯１は、角形電池用の正極とセパレ−タ−と負極からなる重合体を巻き取り成形するための巻き取り機用巻芯１において、前記巻芯は一端に巻き取り機に装着するための取り付け部２を有し他端には他端側を支持する支持部材３と嵌合するための孔４を有しその中央部には重合体を巻き取るための巻芯本体５を有する巻芯１を形成し、前記巻芯本体５の中心部には長手方向に二分割して前記重合体装着用の所要幅の隙間Ｃを設けるとともに前記隙間Ｃは取り付け部２側に向かって行き止まり状に形成し、かつ前記二分割した巻芯本体５Ａ及び５Ｂを組み合わせた断面形状は中心部の平坦部５ａ及び５ｂよりそれぞれ対照的な凸曲面又は菱形又は半円状又は紡錘形状の巻芯本体５を形成し、前記巻芯本体５の中心には前記支持部材嵌合用孔４に続いて前記４より若干小径の孔６を形成するとともに取り付け部２側にて行き止まり状の孔６を設け、前記行き止まり状に形成した孔６内に装着され前記隙間Ｃに近似する間隔の隙間Ｄを有する前記隙間Ｄに装着された重合体を挟持するための挿入部材７を装着し、巻芯本体５に装着され固定された前記挿入部材７を巻芯本体５とともに停止した状態または前進または後進させて支持部材３の先部部分を支持部材３用孔４に挿入するとともに前記支持部材３の先端に設けた孔９に前記挿入部材７の他端側先端部分７ａを挿入した際に前記隙間Ｄの間隔を縮小させることにより前記隙間Ｄ内に装着された重合体の両面を隙間Ｄの両内面により押圧挟持するように構成したことを特徴とし、請求項２の発明は前記巻芯本体の中心に設けた小径孔６内に装着する挿入部材７はその一端を孔６の最奥に装着して挿入部材７を位置決めする軸部８と前記軸部８の支持部材３側より支持部材３側に向かって二分割した隙間Ｄを設けるとともに前記隙間Ｄの内面は支持部材３側に向かって僅かに広がるテ−パ状に形成するとともに両部材にバネ性を付与し、前記挿入部材７の他端側先端部分７ａを支持部材３の先端孔９内に嵌合した際に前記隙間Ｄの内面間隔を縮小させることにより前記隙間Ｄ内に装着された重合体の両面を挟着保持する挟み機構を形成したことを特徴とし、請求項３の発明は前記支持部材３の前部に設けた孔９の前端部にＲ部又は孔９の内面に前部から内方に向けて狭まるテ−パ状孔９ａを設けたことを特徴とし、請求項４の発明は前記挿入部材７の前端部の形状を先端部分が狭まる曲面又は前端部分をテ−パ状に形成したことを特徴とし、請求項５の発明は前記巻芯本体５の中心に設けた孔６内に装着する挿入部材７はその一端を孔６の最奥に装着して挿入部材７を位置決めする軸部８と前記軸部８の支持部材３側より支持部材３側に向かって二分割した隙間Ｄを設けるとともに前記隙間Ｄの内面は支持部材３側に向かって僅かに広がるテーパ状に形成するとともに両部材にバネ性を付与し、前記隙間Ｄの内面の両側に突起１０を設け、前記挿入部材７の先端部分７ａを支持部材３の先端孔９内に嵌合した際に前記隙間Ｄの内面間隔が狭まることにより前記隙間Ｄの内面の両側の突起１０と突起１１が接近して前記隙間内に装着された重合体の両面を挟着保持する挟み機構を形成したことを特徴とし、請求項６の発明は前記巻芯本体５の中心に設け���孔６内に装着する挿入部材７はその一端を孔６の最奥に装着して挿入部材７を位置決めする軸部８と前記軸部８の支持部材３側より支持部材側３側に向かって二分割した隙間Ｄを設けるとともに前記隙間Ｄの内面には支持部材３側に向かって僅かに広がるテ−パ−状に形成するとともに両部材にバネ性を付与し、前記隙間Ｄのいづれか片側に突起１０を設け相対する側の内面に凹溝１２を設け、前記挿入部材７の先端部分７ａを支持部材３の先端孔９内に嵌合した際に前記隙間Ｄの内面間隔が狭まることにより前記突起１０と凹溝１２が合致して前記隙間Ｄ内に装着された重合体の両面を挟着保持する挟み機構を形成したことを特徴とし、請求項７の発明は前記挿入部材７に設けた隙間Ｄの両内面にはザラザラした面又はやすり状面又は細かい突起等の滑り止め用の細かい凹凸を全面に設けたことを特徴とするものである。
【発明の効果】
【０００５】  本発明は上記のように角形電池に装着するための正極とセパレ−タ−と負極よりなる重合体を巻き取るための巻き取り機用巻芯１において、巻芯本体５の中心線上の他端側には支持部材３用の孔４を設け、前記孔４に続いて前記孔４より若干小径の孔６を形成するとともに取り付け部２側に向かって行き止まり状の孔６を設け、前記行き止まり状の孔６内に挿入部材７を装着してあり、前記挿入部材７には巻芯本体５に有する隙間Ｃに近似する隙間Ｄを設けてその一端に軸部８を設け、前記軸部８を前記孔６の最奥に装着して挿入部材７を位置決めするように形成している。前記隙間Ｃを通って隙間Ｄに挿入された重合体は隙間Ｄの両内面により挟持して固定するために、前記挿入部材７の他端側前端７ａは前記支持部材３の前部３ａに設けた孔９内に嵌合されて先端が若干開き気味に設けている挿入部材７の隙間Ｄの隙間幅が孔９の内面に規制されて狭まるように形成しているので隙間Ｄ内に装着された重合体は確実に隙間Ｄの内面にて挟持され位置決めされるように形成しているので、重合体を巻芯本体５に巻き付ける際に前記重合体の先端位置を極めて容易に位置決め固定出来るので重合体の巻き付け作業能率が大幅に向上するとともに巻き付け時に発生するスベリが無く重合体自体の先端部分の材料損失が解消されまたタブ位置も確実に固定される等の優れた効果を有するものである。
【発明の実施するための最良の形態】
【０００６】  本発明の巻き取り機用巻芯１は、電池用の正極とセパレ−タ−と負極からなる重合体を巻き取り成形するための巻き取り機用巻芯１に関し、前記巻芯１はその一端に前記巻芯１を保持するための取り付け部２を有し他端には他端側を支持する支持部材３と嵌合するための孔４を有しその中央部には重合体を巻き取るための巻芯本体５を有する巻芯１を形成し、前記巻芯本体５はその中心部にて長手方向に二分割されて前記重合体装着用の所要幅の隙間Ｃを形成し、前記隙間Ｃは取り付け部２側に向かって行き止まり状に形成している。また前記二分割された巻芯本体５Ａ及び５Ｂの組み合わせた断面形状は中心部の平坦部５ａ及び５ｂよりそれぞれ対照的な凸曲面状又は菱形状又は半円状又は紡錘形状の巻芯本体５を形成している。前記巻芯本体５の中心線上の他端側には前記支持部材３と嵌合する孔４を設け、前記孔４に続いて前記孔４より若干小径の孔６を形成するとともに前記取り付け部２側にて行き止まり状の孔６を設け、前記行き止まり状の孔６内には挿入部材７を装着する。前記挿入部材７には前記隙間Ｃに近似する間隔の隙間Ｄを有しその一端に軸部８を設けて前記孔６の最奥に装着して挿入部材７を位置決めしている。前記隙間Ｃを通って隙間Ｄに挿入された重合体は隙間Ｄの両内面により挟持して固定するために、前記挿入部材７の他端側前端７ａは前記支持部材３の前部３ａに設けた孔９内に挿入嵌合されて先端が若干開き気味に設けている挿入部材７の隙間Ｄの隙間幅を孔９の内面に規制されて狭まるようにしてあり、また挿入された重合体の厚さに応じてその幅に対応させるために前記支持部材３の前部孔９の前端部にＲ部又は内面の前部から内方に向けて狭まるテ−パ状孔９を設けるか或いは挿入部材７の前端７ａの外径側形状を先端部分が狭まるような曲面又はテ−パ状に形成して前記重合体の厚さが変更されていても確実に重合体を挟持することが出来るように形成したものである。
【実施例】
【０００７】    以下、図面に基づき、本発明の１実施例にについて更に詳しく説明すると、図１〜図１０は、本発明に係わる巻き取り機用巻芯１に関する説明図であり、図１は巻き取り機用巻芯１の実施例を示す組立断面図を示し、図２は巻芯本体の側面図を示し、図３は図２のＥ−Ｅ拡大矢視図を示し、図４は図２のＦ−Ｆ断面図を示し、図５は図２のＧ−Ｇ矢視図を示し、図６は挿入部材の側面図を示し、図７は図６の第１実施例を示すＨ−Ｈ断面図であり、図８は図６の第２実施例を示すＨ−Ｈ断面図であり、図９は図６の第３実施例を示ずＨ−Ｈ断面図であり、図１０は支持部材３の側面図を示し、図１１は従来の巻き取り機用巻芯１の側面図を示し、図１２は図１１のＹ−Ｙ面視図を示し、図１３は図１１のＸ−Ｘ断面図を示す。【０００８】  本発明の巻き取り機用巻芯１を図１から図１０に示す実施例に基づき具体的に説明すると、本発明は角形電池内に装着するための正極とセパレ−タ−と負極で形成される重合体を巻き取り成形するための巻き取り機用巻芯１に関するものであり、図１から図１０に示した実施例の巻き取り機用巻芯１は一端に前記巻芯１を保持するための取り付け部２を有し、他端には他端側を支持する支持部材３と嵌合する孔４を有し、その中央部には前記重合体を巻き取り成形するための巻芯本体５を有する巻芯１を形成している。巻芯本体５の中心部にはその中心部にて長手方向に二分割され０．５乃至３ミリ程度に形成した前記重合体挿入用の隙間Ｃを形成し、前記隙間Ｃは取り付け部２側に向かって行き止まり状に形成している。また前記二分割された巻芯本体５Ａ及び５Ｂの組み合わせた断面形状は中心部の平坦部５ａ及び５ｂよりそれぞれ対象的な凸曲面状又は菱形状又は半円形状又は紡錘形状等の巻芯本体５を形成して用い、電池内に装着する重合体の取り付け形状に応じて適宜使用されるものである。
巻芯本体５の中心線上の取り付け部２の他端側に設けた前記孔４に続いて前記孔４より若干小径の孔６を形成するとともに前記取り付け部２側にて行き止まり状の孔６を設け、前記行き止まり状の孔６内に挿入部材７を装着する。前記挿入部材７には前記隙間Ｃに近似する隙間Ｄを設けてありその一端には軸部８を設け、前記孔６の最奥に前記軸部８を装着し軸８に設けたピン孔１３にピン１４を装着またはネジ孔８にネジ１４を装着して挿入部材７を孔６内に位置決めしている。前記隙間Ｃを通って隙間Ｄに挿入された重合体は挿入部材７の隙間Ｄの両部材１５及び１６の内面１５ａ及び１６ａにより挟持して固定するために、前記挿入部材７の他端側前端７ａは前記支持部材３の前部３ａに設けた孔９内に挿入嵌合された際に、前記隙間Ｄの前端が１度乃至３度程度に開き気味に設けるとともにバネ性を付与している両部材１５及び１６の隙間幅を前記孔９の内面に規制されて狭まるように構成している。なお挿入された重合体の厚さが変更された場合にはその厚さに応じてその幅を対応させるために前記支持部材３の前部孔９の前端部にＲ部又は内面の前部から内方に向けて狭まるテ−パ状孔９を設けるか或いは挿入部材７の前端７ａの外径側形状を先端部分が狭まる様な曲面又はテ−パ状に形成することにより確実に重合体を挟持することが出来るように対応すれば良い。
前記重合体を挿入部材７に設けた隙間Ｄの両部材１５及び１６の内面１５ａ及び１６ａの面にて挟持するに際し、前記内面１５ａ及び１６ａの面は平面に形成して挟持する場合、両内面１５ａ及び１６ａの縦方向に凸部と凸部を連続又は断続的に形成して両凸部の先端位置で挟持する場合、凸部と凹部を形成して凹凸嵌合にて挟持する場合、両内面にザラザラした面又はやすり状面又は細かい突起を全面に設けて挟持する場合があり、その時の状況に応じて必要なものを採用すればよい。また凹凸の形状は半円状、三角形状、角形状が考えられ加工しやすい形状であればいずれでもよい。【０００９】  以上述べたように本発明になる巻き取り機用巻芯１は実施例に示すように角形電池の正極とセパレ−タ−と負極からなる重合体を形成するための巻き取り機用巻芯１において、前記巻芯１はその一端に前記巻芯１を保持するための取り付け部２を有し他端には他端側を支持する支持部材３と嵌合するための孔４を有しその中央部には重合体を巻き取るための巻芯本体５を有する巻芯１を形成し、前記巻芯本体５はその中心部にて長手方向に二分割されて前記重合体装着用の所要幅の隙間Ｃを形成し、前記隙間Ｃは取り付け部２側に向かって行き止まり状に形成している。また前記二分割した巻芯本体５Ａ及び５Ｂの組み合わせた断面形状は中心部の平坦部５ａ及び５ｂよりそれぞれ対照的な凸曲面又は菱形又は半円状又は紡錘形状の巻芯本体５を形成している。前記巻芯本体５の中心線上の他端側には前記支持部材３と嵌合する孔４を設け、前記孔４に続いて前記孔４より若干小径の孔６を形成するとともに前記取り付け部２側にて行き止まり状の孔６を設け、前記行き止まり状の孔６内には挿入部材７を装着する。前記装着部材７には前記隙間Ｃに近似する隙間Ｄを有しその一端に軸部８を設けて前記孔６の最奥に装着して挿入部材を位置決めしている。前記隙間Ｃを通って隙間Ｄに挿入された重合体は隙間Ｄの両部材１５及び１６の内面１５ａ及び１６ａにより挟持して固定するために、前記挿入部材７の他端側前端７ａ前記支持部材３の前部３ａに設けた孔９内に挿入嵌合されて先端が若干開き気味に設けている挿入部材７の隙間Ｄの隙間幅が孔９の内面に規制されて狭まるようにしてあり、また挿入された重合体の厚さに応じてその幅に対応させるために前記支持部材３の前部孔９の前端部にＲ部又は内面の前部から内方に向けて狭まるテ−パ状孔９を設けるか或いは挿入部材７の前端７ａの外径側形状を先端部分が狭まる様な曲面又はテ−パ状に形成して前記重合体の厚さが変更されていても確実に重合体を挟持することが出来るように形成している。
更に前記重合体を挿入部材７に設けた隙間Ｄの両部材１５及び１６の内面１５ａ及び１６ａの面にて挟持するに際し、前記内面１５ａ及び１６ａの面は平面に形成して挟持する場合、両内面１５ａ及び１６ａの縦方向に凸部と凸部を連続又は断続的に形成して両凸部の先端位置で挟持する場合、両内面１５ａ及び１６ａの縦方向に凸部と凹部を形成して凹凸嵌合にて挟持する場合、両内面１５ａ及び１６ａにザラザラした面又はやすり状面又は細かい突起を全面に設けて挟持する場合があり、その時の状況に応じて必要なものを採用すればよい。また凹凸の形状は半円状、三角形状、角形状が考えられ加工しやすい形状であればいづれでもよい。
以上述べたように巻芯１を形成しているので、巻芯本体５内に装着した挿入部材７に設けている隙間Ｄ内に装着された重合体は確実に隙間Ｄ内の内面にて挟持され位置決めされるので、重合体を巻芯本体５に取り付けて巻き付ける作業に入る際にスベリが無いため前記重合体の先端位置を極めて容易にかつ素早く位置決め出来るので重合体の巻き付け作業能率が大幅に向上し製造における生産コストが低下する利点を有するとともに巻き付け時に発生する重合体自体の先端部分の材料損失或いは無駄な消費が解消され、またタブ位置も確実に固定され、更にロット不良も無くなる等の優れた効果を有するものである。
なお、本発明は角形電池について説明しているが円形電池等に適用出来ることは勿論である。
【図面の簡単な説明】
【００１０】
【図１】本発明に係わる巻き取り機用巻芯１の全体側断面図。
【図２】巻芯本体５の側面図。
【図３】図２のＥ−Ｅ視面図。
【図４】図２のＦ−Ｆ断面図。
【図５】図２のＧ−Ｇ視面図。
【図６】挿入部材７の側面図。
【図７】図６の第１実施例を示すＨ−Ｈ断面図。
【図８】図６の第２実施例を示すＨ−Ｈ断面図。
【図９】図６の第３実施例を示すＨ−Ｈ断面図。
【図１０】支持部材３の側面図。
【図１１】従来の巻芯１の側面図。
【図１２】図１１のＹ−Ｙ視面図。
【図１３】図１１のＸ−Ｘ断面図。
【符号の説明】
【００１１】１．巻き取り機用巻芯
２．取り付け部
３．支持部材
３ａ．支持部材３の前部
４．支持部材嵌合用孔
５．巻芯本体
５Ａ．巻芯本体
５Ｂ．巻芯本体
５ａ．巻芯本体の平坦部
５ｂ．巻芯本体の平坦部
６．巻芯本体５の中心に設けた行き止まり状の孔
７．挿入部材
７ａ．挿入部材７の他端側前端
８．挿入部材７の軸部
９．支持部材３の前部３ａに設けた孔
１０．挿入部材３の隙間Ｄの片側に設けた突起
１１．挿入部材３の隙間Ｄの相対する側に設けた突起
１２．挿入部材３の隙間Ｄの相対する側に設けた凹溝
１３．軸部８に設けたピン孔またはネジ孔
１４．ピンまたはネジ
１５．挿入部材７の隙間Ｄで分割された片側の部材
１６．上記１５の相対する部材
１５ａ．１５に示す部材の内面
１６ａ．１６に示す部材の内面
１７  従来の巻芯本体に設けた円形状盗み部
Ｃ．  巻芯本体５に設けた隙間
Ｄ．  挿入部材７に設けた隙間
【図１】
2006290615.tif 000003
【図２】
2006290615.tif 000004
【図３】
2006290615.tif 000005
【図４】
2006290615.tif 000006
【図５】
2006290615.tif 000007
【図６】
2006290615.tif 000008
【図７】
2006290615.tif 000009
【図８】
2006290615.tif 000010
【図９】
2006290615.tif 000011
【図１０】
2006290615.tif 000012
【図１１】
2006290615.tif 000013
【図１２】
2006290615.tif 000014
【図１３】
2006290615.tif 000015